(57)【要約】【課題】再生時における利便性を向上することが可能な録音再生装置及び方法を提供する。【解決手段】録音再生装置１は、操作部１３と、メモリカード１８と、制御部１４とを備えている。操作部１３は、入力した音声の情報のうち特定箇所を指定すると共に、指定された特定箇所に対応してキーワードを入力可能なものである。メモリカード１８は、操作部１３により指定された特定箇所と入力されたキーワードの情報とを、入力した音声の情報と対応させて記憶するものである。制御部１４は、音声を再生する再生操作が行われる前に特定箇所が選択される選択操作がなされた場合、特定箇所に対応したキーワードの情報に基づいてキーワードを音声出力させるものである。【選択図】図１
2010008714.tif 000002
【特許請求の範囲】
【請求項１】
入力した音声の情報とユーザが指定した音声箇所の情報とを記憶し、音声再生にあたり指定した音声箇所を選択することにより前記音声箇所から音声を再生可能な録音再生装置であって、
入力した音声の情報のうち特定箇所を指定すると共に、指定された特定箇所に対応してキーワードを入力可能な入力手段と、
前記入力手段により指定された前記特定箇所と入力された前記キーワードの情報とを、入力した音声の情報と対応させて記憶する記憶手段と、
音声を再生する再生操作が行われる前に前記特定箇所が選択される選択操作がなされた場合、前記特定箇所に対応したキーワードの情報に基づいてキーワードを音声出力させる制御手段と、
を備えることを特徴とする録音再生装置。
【請求項２】
前記入力手段は、前記記憶手段により記憶された音声の情報のうち所望箇所を指定するマーク入力を音声再生時において受け付け、
前記記憶手段は、前記入力手段により指定された前記所望箇所の情報を記憶し、
前記制御手段は、音声再生時に前記所望箇所が選択された場合、前記所望箇所から音声を出力させる
ことを特徴とする請求項１に記載の録音再生装置。
【請求項３】
前記入力手段は、前記所望箇所の開始時点と終了時点とを指定するマーク入力を受け付ける
ことを特徴とする請求項２に記載の録音再生装置。
【請求項４】
前記入力手段は、音声再生時において前記特定箇所を指定すると共に、指定された前記特定箇所に対応してキーワードを入力可能である
ことを特徴とする請求項１から請求項３のいずれか１項に記載の録音再生装置。
【請求項５】
前記入力手段は、前記キーワード入力の開始を示す開始操作、及び前記キーワード入力の終了を示す終了操作が可能であると共に、前記開始操作から前記終了操作までの間に、前記特定箇所に対応したメモ内容を入力可能であり、
前記記憶手段は、前記入力手段により入力されたメモ内容の情報を記憶し、
前記制御手段は、音声を再生する再生操作が行われる前に前記特定箇所が選択される選択操作がなされ、且つ、メモ内容を音声出力するメモ出力操作がなされた場合、メモ内容の情報に基づいてメモ内容を音声出力させる
ことを特徴とする請求項１から請求項４のいずれか１項に記載の録音再生装置。
【請求項６】
前記制御手段は、前記開始操作から前記終了操作までの間に、前記メモ内容が入力され、且つ、前記キーワードが入力されなかった場合、前記メモ内容の情報からキーワードを生成し、生成したキーワードの情報を前記記憶手段に記憶させる
ことを特徴とする請求項５に記載の録音再生装置。
【請求項７】
前記制御手段は、前記入力手段を介して前記キーワードが入力されることにより、該当するキーワードに対応した特定箇所から音声出力を開始させる
ことを特徴とする請求項１から請求項６のいずれか１項に記載の録音再生装置。
【請求項８】
前記制御手段は、入力される音声に対して複数個のキーワードが入力された場合、少なくとも前記複数個のキーワードの情報と、前記複数個のキーワードに対応した番号の情報とをマトリックス状に表したマトリックスデータを生成し、前記入力手段を介して、マトリックスデータのうちいずれか１つの情報を指示する指示操作がされた場合、指示された情報を、音声出力させる
ことを特徴とする請求項１から請求項７のいずれか１項に記載の録音再生装置。
【請求項９】
入力した音声の情報とユーザが指定した音声箇所の情報とを記憶し、音声再生にあたり指定した音声箇所を選択することにより前記音声箇所から音声を再生可能な録音再生方法であって、
入力した音声の情報のうち特定箇所を指定すると共に、指定された特定箇所に対応してキーワードを入力する入力工程と、
前記入力工程において指定された前記特定箇所と入力された前記キーワードの情報とを、入力した音声の情報と対応させて記憶する記憶工程と、
音声を再生する再生操作が行われる前に前記特定箇所が選択される選択操作がなされた場合、前記特定箇所に対応したキーワードの情報に基づいてキーワードを音声出力させる音声出力工程と、
を備えることを特徴とする録音再生方法。
【発明の詳細な説明】
【技術分野】
【０００１】
本発明は、録音再生装置及び方法に関する。
【背景技術】
【０００２】
従来、音声を録音し、録音した音声を再生することが可能な録音再生装置が提案されている。この録音再生装置には、録音により得られた複数の音声情報ファイルのなかから所望の音声情報ファイルを検索するものが提案されている。また、この録音再生装置では、音声の録音時においてマークを付与することができ、再生時に付与したマークを選択することで、所望箇所から音声を再生することができる構成となっている（例えば特許文献１参照）。
【特許文献１】特開平１０−２８３１６２号公報
【発明の開示】
【発明が解決しようとする課題】
【０００３】
しかし、特許文献１に記載の録音再生装置は、録音時にマークを付与することができるものの、ユーザは、再生時においてマーク位置にどのような音声が録音されていたかを判別することができない。このため、特許文献１に記載の録音再生装置は、再生時において利便性に欠けるものであった。
【０００４】
本発明はこのような従来の課題を解決するためになされたものであり、その目的とするところは、再生時における利便性を向上することが可能な録音再生装置及び方法を提供することにある。
【課題を解決するための手段】
【０００５】
本発明の録音再生装置は、入力した音声の情報とユーザが指定した音声箇所の情報とを記憶し、音声再生にあたり指定した音声箇所を選択することにより音声箇所から音声を再生可能なものであって、入力した音声の情報のうち特定箇所を指定すると共に、指定された特定箇所に対応してキーワードを入力可能な入力手段と、入力手段により指定された特定箇所と入力されたキーワードの情報とを、入力した音声の情報と対応させて記憶する記憶手段と、音声を再生する再生操作が行われる前に特定箇所が選択される選択操作がなされた場合、特定箇所に対応したキーワードの情報に基づいてキーワードを音声出力させる制御手段とを備えることを特徴とする。
【０００６】
また、本発明の録音再生装置において、入力手段は、記憶手段により記憶された音声の情報のうち所望箇所を指定するマーク入力を音声再生時において受け付け、記憶手段は、入力手段により指定された所望箇所の情報を記憶し、制御手段は、音声再生時に所望箇所が選択された場合、所望箇所から音声を出力させることが好ましい。
【０００７】
また、本発明の録音再生装置において、入力手段は、所望箇所の開始時点と終了時点とを指定するマーク入力を受け付けることが好ましい。
【０００８】
また、本発明の録音再生装置において、入力手段は、音声再生時において特定箇所を指定すると共に、指定された特定箇所に対応してキーワードを入力可能であることが好ましい。
【０００９】
また、本発明の録音再生装置において、入力手段は、キーワード入力の開始を示す開始操作、及びキーワード入力の終了を示す終了操作が可能であると共に、開始操作から終了操作までの間に、特定箇所に対応したメモ内容を入力可能であり、記憶手段は、入力手段により入力されたメモ内容の情報を記憶し、制御手段は、音声を再生する再生操作が行われる前に特定箇所が選択される選択操作がなされ、且つ、メモ内容を音声出力するメモ出力操作がなされた場合、メモ内容の情報に基づいてメモ内容を音声出力させることが好ましい。
【００１０】
また、本発明の録音再生装置において、制御手段は、開始操作から終了操作までの間に、メモ内容が入力され、且つ、キーワードが入力されなかった場合、メモ内容の情報からキーワードを生成し、生成したキーワードの情報を記憶手段に記憶させることが好ましい。
【００１１】
また、本発明の録音再生装置において、制御手段は、入力手段を介してキーワードが入力されることにより、該当するキーワードに対応した特定箇所から音声出力を開始させることが好ましい。
【００１２】
また、本発明の録音再生装置において、制御手段は、入力される音声に対して複数個のキーワードが入力された場合、少なくとも複数個のキーワードの情報と、複数個のキーワードに対応した番号の情報とをマトリックス状に表したマトリックスデータを生成し、入力手段を介して、マトリックスデータのうちいずれか１つの情報を指示する指示操作がされた場合、指示された情報を、音声出力させることが好ましい。
【００１３】
本発明の録音再生方法は、入力した音声の情報とユーザが指定した音声箇所の情報とを記憶し、音声再生にあたり指定した音声箇所を選択することにより音声箇所から音声を再生可能な方法であって、入力した音声の情報のうち特定箇所を指定すると共に、指定された特定箇所に対応してキーワードを入力する入力工程と、入力工程において指定された特定箇所と入力されたキーワードの情報とを、入力した音声の情報と対応させて記憶する記憶工程と、音声を再生する再生操作が行われる前に特定箇所が選択される選択操作がなされた場合、特定箇所に対応したキーワードの情報に基づいてキーワードを音声出力させる音声出力工程とを備えることを特徴とする。
【発明の効果】
【００１４】
本発明の録音再生装置によれば、音声の情報のうち特定箇所を指定すると共に、指定された特定箇所に対応してキーワードを入力可能となっている。このため、音声の情報に対してキーワードを付与することができる。また、音声を再生する再生操作が行われる前にキーワードを付与した特定箇所が選択される選択操作がなされた場合、特定箇所に対応して入力されたキーワードを音声出力するため、ユーザは、特定箇所にどのような内容の音声が録音されているかを知ることができ、再生時における利便性を向上することができる。
【００１５】
また、音声の情報のうち所望箇所を指定するマーク入力を音声再生時において受け付け、音声再生時に所望箇所が選択された場合、所望箇所から音声を出力させる。このため、録音時のみならず再生時においてもマークを付与することができ、一層利便性を向上させることができる。
【００１６】
また、所望箇所の開始時点と終了時点とを指定するマーク入力を受け付けるため、音声を再生する再生操作が行われる前に、例えば、マーク入力された開始時点付近の音声と終了時点付近の音声とを出力したり、開始時点から終了時点までの音声を出力したりするなど、ポイント的に付与されるマークとは異なり、一層利便性を向上させることができる。
【００１７】
また、音声再生時において特定箇所を指定すると共に、指定された特定箇所に対応してキーワードを入力可能である。このため、録音時のみならず再生時においてもキーワードを入力することができ、録音後の編集など、一層利便性を向上させることができる。
【００１８】
また、特定箇所に対応したメモ内容を入力可能であり、音声を再生する再生操作が行われる前に特定箇所が選択される選択操作がなされ、且つ、メモ内容を音声出力するメモ出力操作がなされた場合、メモ内容の情報に基づいてメモ内容を音声出力させる。このため、例えば、ユーザが講義を聞きながらノートに記述するような感覚で、メモを残すことができる。特に、後にメモ内容を音声出力可能であるため、ユーザは、ノートを見返すようにメモ内容を確認でき、一層利便性を向上させることができる。
【００１９】
また、メモ内容が入力され、且つ、キーワードが入力されなかった場合、メモ内容の情報からキーワードを生成し、生成したキーワードの情報を記憶させる。このため、例えば、ユーザが講義を聞きながら、すぐにメモを取りたい場合に、いちいちキーワードを考えて入力する手間が省け、一層利便性を向上させることができる。
【００２０】
また、キーワードが入力されることにより、該当するキーワードに対応した特定箇所から音声出力を開始させるため、ユーザは、予め覚えているキーワードを入力することで、そのキーワードに対応する特定箇所からの再生を行うことができ、一層利便性を向上させることができる。
【００２１】
また、複数個のキーワードが入力された場合、少なくとも複数個のキーワードの情報と、複数個のキーワードに対応した番号の情報とをマトリックス状に表したマトリックスデータを生成し、マトリックスデータのうちいずれか１つの情報を指示する指示操作がされた場合、指示された情報を、音声出力させる。このため、表示部を有することなく、マトリックスデータによってどのようなキーワードがどのような順番で入力されていたかを把握することができ、利便性を向上させることができる。
【００２２】
本発明の録音再生方法によれば、音声の情報のうち特定箇所を指定すると共に、指定された特定箇所に対応してキーワードを入力可能となっている。このため、音声の情報に対してキーワードを付与することができる。また、音声を再生する再生操作が行われる前にキーワードを付与した特定箇所が選択される選択操作がなされた場合、特定箇所に対応して入力されたキーワードを音声出力するため、ユーザは、特定箇所にどのような内容の音声が録音されているかを知ることができ、再生時における利便性を向上することができる。
【発明を実施するための最良の形態】
【００２３】
以下、本発明の好適な実施形態を図面に基づいて説明する。図１は、本発明の実施形態に係る録音再生装置を示す構成図である。図１に示す録音再生装置１は、入力した音声の情報とユーザが指定した音声箇所の情報とを記憶し、音声再生にあたり指定した音声箇所を選択することにより前記音声箇所から音声を再生可能なものである。
【００２４】
この録音再生装置１は、マイク１０と、マイクアンプ１１と、Ａ／Ｄコンバータ１２と、操作部（入力手段）１３と、制御部（制御手段）１４と、ＲＯＭ１５と、ＲＡＭ１６と、ＲＴＣ１７と、メモリカード（記憶手段）１８とを備えている。また、録音再生装置１は、メモリカードスロット１９と、Ｄ／Ａコンバータ２０と、オーディオアンプ２１と、スピーカ２２とを備えている。なお、本実施形態に係る録音再生装置１は、視覚障害者向けの録音再生装置であって表示部を有しない構成となっているが、特に視覚障害者向けに限らず、視覚障害者でない者向けの録音再生装置に適用されてもよい。また、視覚障害者でない者向けの録音再生装置では、表示部を有していてもよい。以下、各部について説明する。
【００２５】
マイク１０は、音声を入力するものである。このマイク１０は、録音再生装置１の本体に内蔵されている。また、マイク１０は、入力した音声をアナログ電気信号に変換し、アナログ電気信号をマイクアンプ１１に送信する構成となっている。
【００２６】
マイクアンプ１１は、電気信号を増幅するものであって、マイク１０からのアナログ電気信号を増幅してＡ／Ｄコンバータ１２に送信する構成となっている。Ａ／Ｄコンバータ１２は、アナログ電気信号をデジタル変換するものである。また、Ａ／Ｄコンバータ１２は、アナログ電気信号をデジタル変換して得られたデジタル電気信号を制御部１４に送信する構成となっている。
【００２７】
操作部１３は、ユーザからの操作を受け付けるものである。この操作部１３は、例えば特開２００６−３１８２１１号公報に示すように、視覚障害者向けに点字キーボードを備えており、点字による文字入力が可能となっている。さらに、操作部１３は上下左右矢印キー、スペースキー及びシフトキーなどを備えている。
【００２８】
制御部１４は、録音再生装置１の全体を制御するものであり、録音等の記憶処理及び再生等の音声出力処理を行うと共に、操作部１３に入力された入力内容に従った制御を行う構成となっている。
【００２９】
ＲＯＭ１５は、制御部１４によって実行される各種プログラムを記憶したものである。ＲＡＭ１６は、ＲＯＭ１５によって記憶されるプログラムを実行するためのものである。ＲＴＣ１７は、電源が切られている間も内蔵電池から電源供給を受けて動作する計時専用チップである。
【００３０】
メモリカード１８は、音声の情報等を記憶するカード型記憶媒体である。メモリカードスロット１９は、メモリカード１８が差し込まれる部位であり、メモリカード１８はメモリカードスロット１９に差し込まれることで、音声の情報の記憶等が行われることとなる。なお、本実施形態ではメモリカード１８及びメモリカードスロット１９を備えているが、これに限らず、内蔵の記憶媒体などを有していてもよい。
【００３１】
Ｄ／Ａコンバータ２０は、制御部１４からのデジタル電気信号をアナログ電気信号に変換するものである。オーディオアンプ２１は、Ｄ／Ａコンバータ２０からのアナログ電気信号を増幅して、スピーカ２２に出力するものである。スピーカ２２は、Ｄ／Ａコンバータ２０から受信したアナログ電気信号に基づいて、音声を出力するものである。
【００３２】
このような録音再生装置１では、操作部１３を介して録音が指示されると、マイク１０は音声を入力して音声に応じたアナログ電気信号を出力する。そして、マイクアンプ１１はアナログ電気信号を増幅し、Ａ／Ｄコンバータ１２はアナログ電気信号をデジタル変換して制御部１４に出力する。制御部１４は、入力したデジタル電気信号に基づいて音声の情報をメモリカード１８に記憶させる。
【００３３】
なお、録音については、パーソナルコンピュータ等との互換性を考慮して、ＭＰ３やＷＡＶなどの一般に流通するデータフォーマットに従う。ここで、ＭＰ３フォーマットは、１フレーム（データの最小単位）にｎ回分のサンプリングデータを含んでいる。仮に１フレームにおけるサンプリング回数を１１５２回とし、サンプリング周波数を４４ＫＨｚとした場合、１フレームあたりの時間長は、１（秒）／４４（ＫＨｚ）×１１５２（回）＝２６ｍｓとなる。
【００３４】
また、一般に人間が認識可能な音声の最小時間は１００ｍｓであるとすると、本実施形態に係る録音再生装置１は、ＭＰ３形式による録音を実施した場合、４フレーム（２６ｍｓ×４＝１０４ｍｓ）を音声の最小単位とする。
【００３５】
また、操作部１３を介して再生操作がなされると、制御部１４は、メモリカード１８に記憶される音声の情報を読み出して、デジタル電気信号を出力する。Ｄ／Ａコンバータ２０は、デジタル電気信号を入力すると、これをアナログ変換してオーディオアンプ２１に出力する。オーディオアンプ２１は、Ｄ／Ａコンバータ２０からのアナログ電気信号を増幅してスピーカ２２に出力する。これによって、スピーカ２２はメモリカード１８に記憶された音声の情報に基づく音声を出力することとなる。
【００３６】
さらに、操作部１３を介して早送りや巻戻しが行われると、制御部１４は、音声再生箇所の移動を行う。音声がＭＰ３形式で録音されている場合、４フレーム単位で移動が行われることとなる。
【００３７】
また、本実施形態に係る録音再生装置１は、マイクジャック２３と、イヤホンジャック２４とを備えている。マイクジャック２３は、外付けのマイクを接続するための端子部である。イヤホンジャック２４は、イヤホンを接続する端子部である。特に、本実施形態ではイヤホンジャック２４を備えているため、出力される音声をユーザのみに提供することができる。
【００３８】
次に、本実施形態に係る録音再生装置１のソフトウェア構成について説明する。図２は、本実施形態に係る録音再生装置１のソフトウェア構成を示す概念図である。
【００３９】
図２に示すように、録音再生装置１は、リアルタイムオペレーティイングシステムをＯＳ（Operating System）として有している。また、録音再生装置１は、ドライバーソフトとして、ＲＴＣドライバー、音声処理用Ａ／Ｄ・Ｄ／Ａドライバー、メモリカードドライバー、及びキーボードドライバーを有し、これらのドライバーソフトによって各種機能ソフトを動作させる構成となっている。具体的に録音再生装置１は、ＲＴＣドライバーによりＲＴＣ１７における時計計時処理が行われるようになっている。また、ＲＴＣドライバー及び音声処理用Ａ／Ｄ・Ｄ／Ａドライバー、及びメモリカードドライバーにより、録音・再生時のデータ変換処理が行われるようになっている。
【００４０】
さらに、録音再生装置１は、メモリカードドライバーにより、パーソナルコンピュータ等との互換性をもたせるための論理構造であるファイルシステムが制御されるようになっている。これにより、本実施形態に係る録音再生装置１では、録音した音声の情報をパーソナルコンピュータ等において再生することができるようになっている。
【００４１】
加えて、録音再生装置１は、キーボードドライバーにより、テキスト音声合成処理を行うようになっている。テキスト音声合成処理とは、操作部１３から入力された点字情報をスピーカ２２から出力するための処理である。この処理によって、ユーザは、点字入力した文字を音声によって確認できることとなる。特に、本実施形態ではイヤホンジャック２４を備えている。このため、例えば視覚障害者以外の者も参加する講義等において、視覚障害者は周囲を気にすることなく、自己の入力した文字内容を確認することができる。
【００４２】
また、録音再生装置１は、アプリケーションソフトとして、テキスト編集アプリケーションと、録音・再生アプリケーションとを有している。録音・再生アプリケーションは、音声の情報をメモリカード１８に記憶させ、且つ、メモリカード１８に記憶された音声の情報をスピーカ２２から出力するためのソフトである。テキスト編集アプリケーションは、後述するキーワードやメモ入力のためのソフトである。
【００４３】
次に、本実施形態に係る録音再生装置１の各種機能について説明する。本実施形態に係る録音再生装置１は、ユーザの利便性を高めるために、マーク入力機能、キーワード入力機能、及びメモ入力機能を有している。マーク入力機能は、記憶音声の所望箇所を指定する機能である。キーワード入力機能は、記憶音声の特定箇所を指定すると共に、特定箇所に対応したキーワードを入力することができる機能である。メモ入力機能は、記憶音声に対応してメモ書きを残す機能である。特に、本実施形態に係る録音再生装置１は、マーク入力機能、及びキーワード入力機能により指定された音声箇所から、音声再生が可能となっている。
【００４４】
図３は、図１に示した録音再生装置１によるマーク入力機能を説明する概念図であり、（ａ）はマークの具体例を示し、（ｂ）はマークを付与したときにメモリカード１８に記憶される記憶内容を示している。
【００４５】
図３（ａ）に示すように、録音が指示されると、マイク１０から入力された音声が音声の情報としてメモリカード１８に記憶される。以下、メモリカード１８に記憶される音声の情報を録音データと称する。なお、この録音データは、一連の録音過程によって得られるものであり、複数の音声情報ファイルに該当するものではなく、１つの音声情報ファイルに該当するものである。
【００４６】
このような録音データの録音時、又は、音声再生時において、例えば操作部１３によりマーク付与の開始操作が行われると（図３（ａ）のｎ開始参照）、図３（ｂ）に示すように、「マークデータｎ開始時間（所望箇所）」がメモリカード１８に記憶される。ここでｎは、１以上の整数であり、マークデータが付与された個数（番号）を示している。ｎ開始が１回目のマークデータの付与である場合には、ｎは「１」となる。
【００４７】
マークデータの付与開始後、操作部１３によりマーク付与の終了操作が行われると（図３（ａ）のｎ終了参照）、図３（ｂ）に示すように、「マークデータｎ終了時間」がメモリカード１８に記憶される。なお、「マークデータｎ開始時間」と「マークデータｎ終了時間（所望箇所）」とはセットで記憶される。このようにして、ユーザは、操作部１３を操作することにより録音データのうち所望箇所を指定するマーク入力を行うことができる。
【００４８】
また、ｎ＋１回目のマーク付与操作が行われると（図３（ａ）のｎ＋１開始参照）、同様に「マークデータｎ＋１開始時間」がメモリカード１８に記憶され、マーク付与の終了操作が行われると（図３（ａ）のｎ＋１終了参照）、同様に「マークデータｎ＋１終了時間」がメモリカード１８に記憶される。
【００４９】
なお、「マークデータｎ開始時間」等は、録音データのファイル名毎に分別されて記憶される。すなわち、複数の録音データがメモリカード１８に記憶されている場合、マークデータが他の録音データのマークデータと混在してしまわないようにファイル名毎に分別されて記憶される。ここで、図３（ｂ）に示すタイムスタンプとは、ファイル名の混同を防止する情報である。例えば数学の講義を数回聞いて得られた数回分の録音データそれぞれについて、ファイル名を同じ「数学」とした場合、録音データのファイル名が同じとなってしまう。このため、これらの録音データの区別がつかなくなってしまう。よって、同一のファイル名を区別するためにタイムスタンプが利用されている。タイムスタンプは、番号の情報であったり日時の情報であったりする。すなわちタイムスタンプが番号の情報である場合、ファイル名は「数学１」、「数学２」及び「数学３」などと管理されることとなる。また、タイムスタンプが日時の情報である場合、ファイル名は「数学  平成２０年２月３日午前１０時３０分」、「数学  平成２０年２月１０日午後３時１５分」及び「数学  平成２０年２月１７日午前９時３０分」などと管理されることとなる。
【００５０】
また、上記においてマーク付与の開始操作及び終了操作は、１つのボタンによって行われることが望ましい。すなわち、操作部１３に設けられる所定のボタンを押すことによってマーク付与の開始操作が行われ、所定のボタンを離すことによってマーク付与の終了操作が行われることが望ましい。これにより、ユーザは、所定のボタンを長押しするだけで、マーク付与の開始操作及び終了操作を実行でき、操作の簡易化を図ることができるからである。また、視覚障害者にとっては、長押しという操作により、教科書やノート等にマーカ線を引くような感覚で音声に対してマークを付与することができるからである。
【００５１】
さらに、マーク入力は、上記したように、音声録音時のみならず、音声再生時においても行うことができる。これにより、録音後に録音データを聞いたうえで、マークを付与することができ、一層利便性を向上させることができる。
【００５２】
図４は、図１に示した録音再生装置１により音声を再生する際の動作を示す概念図である。図３に示すようにマークデータが記憶された場合、ユーザは、マークデータを利用して音声の所望箇所から再生を行うことができる。
【００５３】
まず、ｎ番目のマークデータが付与されるＡ部の音声が録音再生装置１から再生されているとする。この状態において、ユーザが操作部１３の右矢印キーを５回押下したとする。これにより、録音再生装置１は、ｎ＋５番目のマークデータが付与されるＣ部の音声を再生することとなる。その後、ユーザが操作部１３の左矢印キーを４回押下したとする。これにより、録音再生装置１は、ｎ＋１番目のマークデータが付与されるＢ部の音声を再生することとなる。
【００５４】
なお、マークデータについては、開始時間と終了時間とが記憶されるが、矢印キーの操作によって再生が開始される箇所は、開始時間からである。
【００５５】
図５は、図１に示した録音再生装置１によるキーワード入力機能を説明する概念図であり、（ａ）はキーワード入力の様子を示し、（ｂ）はキーワードを入力したときにメモリカード１８に記憶される記憶内容を示している。本実施形態に係る録音再生装置１は、マーク入力のみならず、録音データに対してキーワードを入力可能となっている。このキーワードは、１つの音声情報ファイルに対して１つだけ入力されるものではなく、１つの音声情報ファイルに対して複数入力可能となっている。また、キーワードは、１つの音声情報ファイルの特定箇所を指定して行うことができる。一例を挙げると、キーワードは、録音開始から５分、１５分及び１８分の時間などのようにユーザが指定した特定箇所に付与されることとなる。
【００５６】
まず、図５（ａ）に示すように、録音データの録音時、又は、音声再生時において、例えば操作部１３によりキーワード開始コマンド（例えばスペース＋Ｋ）が入力されたとする（すなわち開始操作が行われたとする）。これにより、キーワードデータファイルがオープンし、キーワードが入力可能な状態となる。このとき、ユーザは音声の特定箇所を指定したこととなる。
【００５７】
その後、キーワードが入力される。ユーザは、一般的に現在録音中である録音内容に関連した内容をキーワードとして入力する。例えば、数学の講義中に講師から二次関数についての説明があった場合、キーワードは二次関数などと入力される。なお、キーワードは、後述の図５（ｂ）に示すように、キーワード開始コマンドを入力した音声の特定箇所に対応して入力されることとなる。また、キーワードの入力は、操作部１３によって行われることとなる。また、キーワードの入力最中においては、入力したキーワードが録音再生装置１から出力されるようになっている。
【００５８】
次に、操作部１３によりキーワード終了コマンド（例えばスペース＋Ｃ）が入力されたとする（すなわち終了操作が行われたとする）。これにより、キーワードデータファイルがクローズし、キーワードが入力不可な状態となる。
【００５９】
以上の手順が行われると、制御部１４は、メモリカード１８に図５（ｂ）に示す内容を記憶させる。まず、制御部１４は、１つの録音データに対して何個目のキーワードが入力されたかを判断する。そして、制御部１４は、ｎ番目であると判断した場合、キーワードシーケンスナンバーを「ｎ」とし、これをメモリカード１８に記憶させる。また、制御部１４は、開始コマンドが入力された時間を判断する。そして、この時間を開始時間（すなわち特定箇所）としてメモリカード１８に記憶させる。さらに、制御部１４は、開始コマンドから終了コマンドまでの間に入力されたキーワードをメモリカード１８に記憶させる。このように、制御部１４は、キーワードシーケンスナンバー、開始時間、及び、キーワードを１セットとし、これらを対応させてメモリカード１８に記憶させる。
【００６０】
さらに、上記と同様の操作が行われて、新たなキーワードが入力された場合、図５（ｂ）に示すように、制御部１４は、「ｎ＋１」のキーワードシーケンスナンバー、開始コマンドが入力された時間、及び、新たに入力されたキーワードをメモリカード１８に記憶させることとなる。
【００６１】
なお、キーワード入力は、音声録音時のみならず、音声再生時においても行うことができる。これにより、録音後に録音データを聞いたうえで、キーワードを決定するなど編集することができ、一層利便性を向上させることができる。
【００６２】
図６は、図１に示した録音再生装置１によるメモ入力機能を説明する概念図である。本実施形態に係る録音再生装置１は、マーク及びキーワード入力のみならず、録音データに対してメモ内容を入力可能となっている。メモ内容は、キーワード入力の開始コマンドから終了コマンドまでの間に入力される。
【００６３】
図６に示すように、録音データの録音時、又は、音声再生時において、例えば操作部１３により開始コマンド（例えばスペース＋Ｋ）が入力されたとする。これにより、キーワードデータファイルがオープンし、キーワードが入力可能な状態となる。
【００６４】
その後、例えば操作部１３によりメモ開始コマンド（例えばスペース＋Ｍ）が入力されたとする。これにより、メモが入力可能な状態となる。このとき、キーワードは入力不可な状態となる。
【００６５】
そして、メモ内容が入力される。ユーザは、一般的に現在録音中である録音内容に対する注意点やポイント的な内容をメモとして入力する。なお、メモ内容の入力は、操作部１３によって行われることとなる。また、メモ内容の入力最中においては、入力したメモ内容が録音再生装置１から出力される。
【００６６】
次に、例えば操作部１３によりメモ終了コマンド（例えばスペース＋Ｅ）が入力されたとする。これにより、メモ内容が入力不可な状態となり、キーワードが入力可能な状態に移行する。
【００６７】
次いで、操作部１３によりキーワード終了コマンド（例えばスペース＋Ｃ）が入力されたとする。これにより、キーワードが入力不可な状態となる。
【００６８】
以上の手順が行われると、制御部１４は、メモリカード１８に図７に示す内容を記憶させる。図７は、メモ内容を入力したときにメモリカード１８に記憶される記憶内容を示す概念図である。図７に示すように、上記手順が行われると、制御部１４は、図５を参照して説明したように、キーワードシーケンスナンバー、開始時間、及び、キーワードを１セットとし、これらを対応させてメモリカード１８に記憶させる。
【００６９】
さらに、制御部１４はメモデータを記憶させる。このとき、制御部１４は、まずキーワードデータとして記憶したキーワードシーケンスナンバーの情報を、メモデータの内容として記憶させる。次に、制御部１４は、キーワードデータとして記憶したキーワードの情報を、メモデータの対象キーワードとして記憶させる。次いで、制御部１４は、１つの録音データに対して何個目のメモが入力されたかを判断する。そして、制御部１４は、ｎ番目であると判断した場合、メモシーケンスナンバーを「ｎ」とし、これをメモリカード１８に記憶させる。さらに、制御部１４は、メモ開始コマンドからメモ終了コマンドまでの間に入力されたメモ内容をメモリカード１８に記憶させる。このように、制御部１４は、キーワードデータと対応させて、メモデータをメモリカード１８に記憶させる。以上メモ入力より、ユーザは、ノートに記述するような感覚で録音再生装置１に対してメモを残すことができる。
【００７０】
なお、メモ入力は、録音データ録音時のみならず、音声再生時においても行うことができる。これにより、録音後に録音データを聞いたうえで、メモするなど編集することができ、一層利便性を向上させることができる。また、メモ内容は、キーワード開始コマンドからキーワード終了コマンドまでの間に、１つのみならず、複数入力されてもよい。すなわち、ユーザは、キーワード開始コマンドを入力した後、メモ開始コマンドを入力し、メモ内容を入力する。そして、ユーザは、メモ終了コマンドを入力した後に、再度メモ開始コマンドを入力して、再度メモ内容を入力してもよい。
【００７１】
次に、キーワードを利用した音声の再生について詳細に説明する。図８は、図１に示した録音再生装置１による音声再生等を説明する概念図である。本実施形態に係る録音再生装置１は、１つの音声情報ファイルに対して、複数のキーワードを入力できる。このため、制御部１４は、複数個のキーワードが入力された場合、マトリックスデータを生成する。ここで、マトリックスデータとは、少なくともキーワードシーケンスナンバーの情報（複数個のキーワードに対応した番号の情報）と、複数個のキーワードの情報とをマトリックス状に表したものである。なお、本実施形態に係るマトリックスデータは、上記に加えて経過時間の情報とメモ件数の情報とについてもマトリックス状に表している。経過時間とは、図５（ｂ）に示した開始時間の情報である。
【００７２】
ユーザは、上記マトリックスデータからいずれか１つの情報を指示する指示操作を行うこととなる。まず、マトリックスデータでは、初期位置にカーソルが位置している。初期位置とは、例えばキーワードシーケンスナンバー「１」の位置である。なお、録音再生装置１は表示部を有しない。このため、カーソルは、ユーザには見えないデータ上での擬似的なカーソルとなる。
【００７３】
まず、マトリックスデータが生成された場合、制御部１４は、初期位置に該当する「１」という情報を音声出力する。この状態からユーザが操作部１３の右矢印キーを押下したとする。このとき、カーソルが右に移動して「あか」というキーワードを指示する指示操作がされたこととなる。これにより、制御部１４は、カーソル位置に該当する「あか」という情報を音声出力する。次に、ユーザが操作部１３の下矢印キーを押下したとすると、「みどり」というキーワードを指示する指示操作がされたこととなる。これにより、制御部１４は、カーソル位置に該当する「みどり」という情報を音声出力する。次いで、ユーザが操作部１３の右矢印キーを押下したとすると、「００：２１：００」という情報を指示する指示操作がされたこととなる。これにより、制御部１４は、カーソル位置に該当する「００：２１：００」という情報を音声出力する。さらに、ユーザが操作部１３の右矢印キーを押下したとすると、「１件」という情報を指示する指示操作がされたこととなる。これにより、制御部１４は、カーソル位置に該当する「１件」という情報を音声出力する。以上のように、本実施形態に係る録音再生装置１は、指示操作を行うことにより、どのようなキーワードがどのような順番、時間帯、及びメモ件数で記憶されていたかを再生前に把握できるようになっている。
【００７４】
また、録音再生装置１は、上記指示操作を行うことにより、特定箇所を選択する選択操作を受け付けたと判断する。具体的に「みどり」というキーワードを指示する指示操作がされた場合、録音再生装置１は、経過時間「００：２１：００」の特定箇所を選択する選択操作がされたと判断する。そして、ユーザが操作部１３のエンターキーを操作することにより（すなわち再生操作することにより）、選択された特定箇所（すなわち「００：２１：００」）から音声を再生することができる。
【００７５】
次に、メモ内容の音声出力について説明する。図９は、図１に示した録音再生装置１によるメモ出力操作を示す概念図である。図９に示すようにカーソルが、キーワードシーケンスナンバー「３」、キーワード「くるま」及び経過時間「００：５５：３２」に該当するメモ件数の箇所に位置しているとする。すなわち、経過時間「００：５５：３２」の特定箇所を選択する選択操作がなされていると共に、メモ件数「２件」を指示する指示操作がなされているとする。この場合において、ユーザがメモ内容を音声出力するメモ出力操作をすると（例えば右矢印キーを押し、その後エンターキーを押すと）、制御部１４は、メモリカード１８に記憶されるメモ内容の情報に基づいてメモ内容を音声出力させる。これにより、ユーザはメモ内容のみを聞くことができ、録音後において録音した内容を効率よく把握することができる。
【００７６】
また、図９に示す例では、２件のメモ内容が記憶されている。このように複数のメモ内容が記憶されている場合、ユーザは右矢印キーを押下した後に、上下矢印キーを操作して２件のメモのうちいずれか１つ選択し、エンターキーを押下することにより、２件のうち一方のメモ内容を音声出力することができる。また、ユーザが右矢印キーを押し、メモ開始コマンドを入力することにより、録音再生装置１は、メモ内容を編集可能な状態に移行する。そして、編集可能な状態に移行した場合、メモ内容を入力することにより、メモ内容を編集することができる。その後、ユーザは、メモ終了コマンドを入力することにより、編集可能な状態からマトリックスデータにおいてカーソルを動かせる状態に移行させることができる。
【００７７】
なお、編集可能な状態に移行させる操作は、メモ開始コマンドに限らず、他の操作であってもよい。同様に、編集可能な状態からマトリックスデータにおいてカーソルを動かせる状態に移行させるには、メモ終了コマンドに限らず、他の操作であってよい。また、図９に示すように、複数のメモ内容が記憶されている場合において右矢印キーが操作された場合、「○件のメモがあります。上下矢印で参照できます。」などのようなガイダンス音声を出力することが望ましい。これにより、一層利便性を向上させることができるからである。
【００７８】
さらに、本実施形態に係る録音再生装置１は、ダイレクトジャンプ機能を有している。録音再生装置１は、図８及び図９に示すマトリックスデータを生成するプレビュージャンプ機能を選択するか、ダイレクトジャンプ機能を選択するかを選択可能となっている。このため、ユーザがプレビュージャンプ機能を選択した場合、録音再生装置１の制御部１４は図８及び図９に示すようなマトリックスデータを生成してカーソル移動による音声出力を行う。
【００７９】
一方、ユーザがダイレクトジャンプ機能を選択した場合、録音再生装置１はユーザからキーワードの入力を受け付ける状態に移行する。そして、ユーザがキーワードを入力すると、録音再生装置１は、該当するキーワードに対応する音声箇所から音声再生を行うこととなる。
【００８０】
また、本実施形態においてマークデータは、図４に示すように、音声再生中において所望箇所から音声を再生させるが、これに限らず、以下のようにしてもよい。例えば、録音再生装置１は、音声を再生する操作を行う前にマークデータの付与箇所を選択する選択操作を行うことで、再生する音声箇所を選択することができるようにしてもよい。この場合、まず、ユーザは、再生操作を行う前にマークデータの付与箇所を選択する選択操作を行う。これにより、再生箇所が選択される。その後、ユーザは再生操作を操作部１３に対して行う。これにより、制御部１４は、選択した所望箇所から音声を出力させる。このように、ユーザは再生中以外においても自己の望む箇所からの再生が行えるようにすることができる。
【００８１】
特に、本実施形態に係る録音再生装置１において操作部１３は、所望箇所の開始時点と終了時点とを指定するマーク入力を受け付け、メモリカード１８は開示点と終了時点との情報を記憶する構成となっている。このため、再生操作前に特定箇所を選択する選択操作が行われた場合、例えば、録音再生装置１は、マーク入力された開始時点付近の音声と終了時点付近の音声とを出力し、何の音声が録音されていたかをユーザに分かりやすく提示するようにしてもよい。また、録音再生装置１は、再生操作前に選択操作が行われた場合、開始時点から終了時点までの全ての音声を出力して、何の音声が録音されていたかをユーザに分かりやすく提示してもよい。このように構成することで、本実施形態に係るマークデータは、従来のようにポイント的に付与されるマークとは異なり、利便性の向上に寄与することができる。なお、マークデータの開始時点と終了時点と記憶する場合、上記の例に限らず、例えば、何分から何分までマーク入力されたかを音声出力して、何の音声が録音されていたかをユーザに分かりやすく提示してもよい。
【００８２】
また、上記では、マトリックスデータを生成する場合を例に説明したが、これに限らず、マトリックスデータを生成しなくともよい。例えば、制御部１４はマトリックスデータを生成せず、マトリックスデータ以外によってユーザから選択操作が行われた場合に、特定箇所に対応したキーワードの情報に基づいてキーワードを音声出力させるようにしてもよい。同様に、メモ内容の音声出力方法についても、図８及び図９に限られず、種々の方法が可能である。
【００８３】
次に、本実施形態に係る録音再生方法を説明する。図１０〜図１２は、本実施形態に係る録音再生方法を示すフローチャートである。図１０に示すように、録音再生装置１の制御部１４は、まず、操作部１３を介して録音操作が行われたか否かを判断する（Ｓ１）。録音操作が行われたと判断した場合（Ｓ１：ＹＥＳ）、制御部１４は録音を開始する（Ｓ２）。
【００８４】
次に、制御部１４は、マーク付与の開始操作があったか否かを判断する（Ｓ３）。このとき、制御部１４は、図３を参照して説明したように、操作部１３の所定のボタンが押下されたか否かを判断することとなる。マーク付与の開始操作がなかったと判断した場合（Ｓ３：ＮＯ）、処理はステップＳ７に移行する。一方、マーク付与の開始操作があったと判断した場合（Ｓ３：ＹＥＳ）、制御部１４はメモリカード１８にマークデータ開始時間を記憶させる（Ｓ４：第２記憶工程）。
【００８５】
そして、制御部１４は、マーク付与の終了操作があったか否かを判断する（Ｓ５）。このとき、制御部１４は、図３を参照して説明したように、操作部１３の所定のボタンが離されたか否かを判断することとなる。マーク付与の終了操作がなかったと判断した場合（Ｓ５：ＮＯ）、終了操作があったと判断されるまで、この処理が繰り返される。マーク付与の終了操作があったと判断した場合（Ｓ５：ＹＥＳ）、制御部１４はメモリカード１８にマークデータ終了時間を記憶させる（Ｓ６）。そして、処理はステップＳ７に移行する。
【００８６】
ステップＳ７において制御部１４は、キーワード入力の開始操作があったか否かを判断する（Ｓ７）。このとき、制御部１４は、図５を参照して説明したように、キーワード開始コマンドが入力された否かを判断することとなる。キーワード入力の開始操作がなかったと判断した場合（Ｓ７：ＮＯ）、処理は図１１のステップＳ３４に移行する。キーワード入力の開始操作があったと判断した場合（Ｓ７：ＹＥＳ）、制御部１４は、メモ入力の開始操作があったか否かを判断する（Ｓ８）。このとき、制御部１４は、図６を参照して説明したように、メモ開始コマンドが入力された否かを判断することとなる。
【００８７】
メモ入力の開始操作がなかったと判断した場合（Ｓ８：ＮＯ）、処理はステップＳ１０に移行する。メモ入力の開始操作があったと判断した場合（Ｓ８：ＹＥＳ）、制御部１４は、メモ入力の終了操作があったか否かを判断する（Ｓ９）。このとき、制御部１４は、図６を参照して説明したように、メモ終了コマンドが入力された否かを判断することとなる。
【００８８】
メモ入力の終了操作がなかったと判断した場合（Ｓ９：ＮＯ）、メモ入力の終了操作があったと判断されるまで、この処理が繰り返される。メモ入力の終了操作があったと判断した場合（Ｓ９：ＹＥＳ）、制御部１４は、キーワード入力の終了操作があったか否かを判断する（Ｓ１０）。このとき、制御部１４は、図５を参照して説明したように、キーワード終了コマンドが入力された否かを判断することとなる。
【００８９】
キーワード入力の終了操作がなかったと判断した場合（Ｓ１０：ＮＯ）、処理はステップＳ８に移行する。キーワード入力の終了操作があったと判断した場合（Ｓ１０：ＹＥＳ）、処理は図１１に示すステップＳ２７に移行する。
【００９０】
図１１のステップＳ２７において、制御部１４は、上記ステップＳ７〜ステップＳ１０までの処理においてメモ入力があったか否かを判断する（Ｓ２７）。メモ入力があったと判断した場合（Ｓ２７：ＹＥＳ）、制御部１４は、メモ内容をメモリカード１８に記憶させる（Ｓ２８）。このとき、制御部１４は、メモ内容に加えて、図７に示したような各種データについても記憶させることとなる。
【００９１】
その後、制御部１４は、上記ステップＳ７〜ステップＳ１０までの処理においてキーワード入力があったか否かを判断する（Ｓ２９）。すなわち、制御部１４は、キーワードの入力工程が行われたか否かを判断する。キーワード入力があったと判断した場合（Ｓ２９：ＹＥＳ）、制御部１４は、入力されたキーワード、及び、キーワード入力の開始操作がされた時間の情報をメモリカード１８に記憶させる記憶工程を実行する（Ｓ３０）。このとき、制御部１４は、キーワード及び開始時間に加えて、図５に示したような各種データについても記憶させることとなる。そして、処理はステップＳ３４に移行する。
【００９２】
一方、キーワード入力がなかったと判断した場合（Ｓ２９：ＮＯ）、制御部１４は、要約処理を実行する（Ｓ３１）。ここで、要約処理とは、キーワード入力の開始操作から終了操作までの間に、メモ内容が入力され、且つ、キーワードが入力されなかった場合に実行される処理であって、入力されたメモ内容からキーワードを生成する処理をいう（キーワード生成工程）。例えば、キーワードが入力されず、メモ内容として「二次関数には、・・・」と入力されていた場合、制御部１４は、要約処理を行って、メモ内容の最初言葉である「二次関数」をキーワードとして生成する。
【００９３】
その後、制御部１４は、要約されたキーワード、及び、キーワード入力の開始操作がされた時間の情報をメモリカード１８に記憶させる記憶工程を実行する（Ｓ３２）。このとき、制御部１４は、キーワード及び開始時間に加えて、図５に示したような各種データについても記憶させることとなる。そして、処理はステップＳ３４に移行する。
【００９４】
ところで、メモ入力がなかったと判断した場合（Ｓ２７：ＮＯ）、制御部１４は、キーワード入力があったがあったか否かを判断する（Ｓ３３）。すなわち、制御部１４は、キーワードの入力工程が行われたか否かを判断する。キーワード入力があったと判断した場合（Ｓ３３：ＹＥＳ）、制御部１４は、入力されたキーワード、及び、キーワード入力の開始操作がされた時間の情報をメモリカード１８に記憶させる（Ｓ３０）。このとき、制御部１４は、キーワード及び開始時間に加えて、図５に示したような各種データについても記憶させることとなる。そして、処理はステップＳ３４に移行する。また、キーワード入力がなかったと判断した場合（Ｓ３３：ＮＯ）、処理はステップＳ３４に移行する。
【００９５】
ステップＳ３４において制御部１４は、録音終了操作があったか否かを判断する（Ｓ３４）。録音終了操作がなかったと判断した場合（Ｓ３４：ＮＯ）、処理は図１０に示すステップＳ３に移行する。録音終了操作があったと判断した場合（Ｓ３４：ＹＥＳ）、制御部１４は、録音を終了し（Ｓ３５）、図１０及び図１１に示す処理は終了する。
【００９６】
再度、図１０を参照する。ステップＳ１において録音操作がなかったと判断した場合（Ｓ１：ＮＯ）、制御部１４は、プレビュージャンプ機能が選択されたか否かを判断する（Ｓ１１）。プレビュージャンプ機能が選択されたと判断した場合（Ｓ１１：ＹＥＳ）、制御部１４は、図８に示したようなマトリックスデータを生成するマトリックスデータ生成工程を実行する（Ｓ１２）。なお、上記においては、キーワードが複数個入力されている場合にマトリックスデータが生成される旨を説明したが、特に複数個に限らず、制御部１４は、１個のみのキーワードが入力されている場合であっても、マトリックスデータを生成してもよい。
【００９７】
マトリックスデータ生成後、制御部１４は、カーソルの初期位置に該当する情報について音声出力させる（Ｓ１３）。図９に示した例の場合、初期位置は、キーワードシーケンスナンバー「１」であるため、制御部１４は、「１」という音声を出力させる。
【００９８】
次いで、制御部１４は、カーソル移動があったか否かを判断する（Ｓ１４）。すなわち、制御部１４は、操作部１３を介して上下左右矢印キーが操作されたか否かを判断することとなる。カーソル移動があったと判断した場合（Ｓ１４：ＹＥＳ）、処理はステップＳ１３に移行し、制御部１４は、カーソル移動先に該当する音声を出力させることとなる（第４音声出力工程）。具体的には右矢印キーが操作されてカーソルがキーワード「あか」の位置に移動した場合、制御部１４は、「あか」というキーワードを音声出力することとなる（音声出力工程）。
【００９９】
一方、カーソル移動がなかったと判断した場合（Ｓ１４：ＮＯ）、制御部１４は、再生操作があったか否かを判断する（Ｓ１５）。すなわち、制御部１４は、エンターキーが操作されたか否かを判断することとなる。再生操作がなかったと判断した場合（Ｓ１５：ＮＯ）、処理はステップＳ１４に移行する。再生操作があったと判断した場合（Ｓ１５：ＹＥＳ）、制御部１４は、該当箇所から音声を出力させる（Ｓ１６）。すなわち、制御部１４は、エンターキーが操作された箇所に該当する音声箇所から、音声を出力させる。なお、図１０には図示していないが、これらステップＳ１２〜ステップＳ１５の過程において、メモ内容の音声出力も可能である。
【０１００】
その後、ステップＳ１７〜ステップＳ２４において、上記したステップＳ３〜ステップＳ１０と同様の処理が実行される。このように、本実施形態に係る録音再生装置１は、録音中のみならず、再生中においてもマーク付与、キーワード入力及びメモ入力が可能となっており、マーク入力を受け付ける受付工程、及び、キーワードやメモ内容が入力される入力工程などが実行されることとなる。
【０１０１】
そして、ステップＳ２４においてキーワード入力の終了操作があったと判断した場合（Ｓ２４：ＹＥＳ）、処理は図１２に示すステップＳ３６に移行する。また、ステップＳ２１においてキーワード入力の開始操作がなかったと判断した場合（Ｓ２１：ＮＯ）、処理は図１２のステップＳ４３に移行する。
【０１０２】
図１２を参照する。図１２のステップＳ３６〜ステップＳ４２では、図１１に示したステップＳ２７〜ステップＳ３３に示した処理と同様の処理が実行される。すなわち、制御部１４は、キーワードの入力工程が行われたか否かを判断すると共に、キーワード生成工程や記憶工程を実行することとなる。そして、ステップＳ４３において制御部１４は、再生終了操作があったか否かを判断する（Ｓ４３）。
【０１０３】
再生終了操作がなかったと判断した場合（Ｓ４３：ＮＯ）、処理は図１０に示すステップＳ１７に移行する。再生終了操作があったと判断した場合（Ｓ４３：ＹＥＳ）、制御部１４は、再生を終了し（Ｓ４４）、図１０及び図１２に示す処理は終了する。
【０１０４】
ところで、ステップＳ１１においてプレビュージャンプ機能が選択されていないと判断した場合（Ｓ１１：ＮＯ）、制御部１４は、ダイレクトジャンプ機能が選択されたか否かを判断する（Ｓ２５）。ダイレクトジャンプ機能が選択されていないと判断した場合（Ｓ２５：ＮＯ）、処理はステップＳ１に移行する。一方、ダイレクトジャンプ機能が選択されたと判断した場合（Ｓ２５：ＹＥＳ）、制御部１４は、キーワード入力があったか否かを判断する（Ｓ２６）。キーワード入力がなかったと判断した場合（Ｓ２６：ＮＯ）、キーワード入力があったと判断されるまで、この処理が繰り返される。キーワード入力があったと判断した場合（Ｓ２６：ＹＥＳ）、処理はステップＳ１６に移行し、該当箇所から音声再生させる。（Ｓ１６：第３音声出力工程）。そして、上記した処理を経て、図１０及び図１２に示す処理は終了する。なお、図１０〜図１２に示す処理では、マークデータに基づく音声再生方法の説明を省略しているが、図４にて説明したように、音声再生時にマークデータが付与された所望箇所が選択された場合、所望箇所から音声を出力させるようにしてもよい（第２音声出力工程）。
【０１０５】
このようにして、本実施形態に係る録音再生装置１及び方法によれば、音声の情報のうち特定箇所を指定すると共に、指定された特定箇所に対応してキーワードを入力可能となっている。このため、音声の情報に対してキーワードを付与することができる。また、音声を再生する再生操作が行われる前にキーワードを付与した特定箇所が選択される選択操作がなされた場合、特定箇所に対応して入力されたキーワードを音声出力するため、ユーザは、特定箇所にどのような内容の音声が録音されているかを知ることができ、再生時における利便性を向上することができる。
【０１０６】
また、音声の情報のうち所望箇所を指定するマーク入力を音声再生時において受け付け、所望箇所が選択され且つ音声を再生する操作がなされた場合、所望箇所から音声を出力させる。このため、録音時のみならず再生時においてもマークを付与することができ、一層利便性を向上させることができる。
【０１０７】
また、所望箇所の開始時点と終了時点とを指定するマーク入力を受け付けるため、音声を再生する再生操作が行われる前に、例えば、マーク入力された開始時点付近の音声と終了時点付近の音声とを出力したり、開始時点から終了時点までの音声を出力したりするなど、ポイント的に付与されるマークとは異なり、一層利便性を向上させることができる。
【０１０８】
また、音声再生時において特定箇所を指定すると共に、指定された特定箇所に対応してキーワードを入力可能である。このため、録音時のみならず再生時においてもキーワードを入力することができ、録音後の編集など、一層利便性を向上させることができる。
【０１０９】
また、特定箇所に対応したメモ内容を入力可能であり、音声を再生する再生操作が行われる前に特定箇所が選択される選択操作がなされ、且つ、メモ内容を音声出力するメモ出力操作がなされた場合、メモ内容の情報に基づいてメモ内容を音声出力させる。このため、例えば、ユーザが講義を聞きながらノートに記述するような感覚で、メモを残すことができる。特に、後にメモ内容を音声出力可能であるため、ユーザは、ノートを見返すようにメモ内容を確認でき、一層利便性を向上させることができる。
【０１１０】
また、メモ内容が入力され、且つ、キーワードが入力されなかった場合、メモ内容の情報からキーワードを生成し、生成したキーワードの情報を記憶させる。このため、例えば、ユーザが講義を聞きながら、すぐにメモを取りたい場合に、いちいちキーワードを考えて入力する手間が省け、一層利便性を向上させることができる。
【０１１１】
また、キーワードが入力されることにより、該当するキーワードに対応した特定箇所から音声出力を開始させるため、ユーザは、予め覚えているキーワードを入力することで、そのキーワードに対応する特定箇所からの再生を行うことができ、一層利便性を向上させることができる。
【０１１２】
また、複数個のキーワードが入力された場合、少なくとも複数個のキーワードの情報と、複数個のキーワードに対応した番号の情報と、キーワードが入力された時間（具体的にはキーワード入力の開始操作がされた時間）とをマトリックス状に表したマトリックスデータを生成し、マトリックスデータのうちいずれか１つの情報を指示する指示操作がされた場合、指示された情報を、音声出力させる。このため、表示部を有することなく、マトリックスデータによってどのようなキーワードがどのような順番でどのような時間に入力されていたかを把握することができ、利便性を向上させることができる。
【０１１３】
さらに、本実施形態では、図２に示したようにファイルシステムを備え、パーソナルコンピュータ等との互換性をもたせるようにしているため、録音した音声をパーソナルコンピュータ等で聞くことができ、利便性を向上させることができる。また、キーワードの情報等がメモリカード１８に記憶され、録音再生装置１の本体に記憶されないため、メモリカード１８を他の録音再生装置１（同一機種）のメモリカードスロット１９に差し込むことで、他の録音再生装置１においても音声箇所の検索等を行うことができる。
【０１１４】
また、本実施形態に係る録音再生装置１は、録音とメモ書き等とを１つの機器にて行えるため、一層利便性を向上させることができる。すなわち、録音装置とメモ書き機器が別々である場合、録音装置を操作した後に、メモ書き機器の位置を確認し、その後文字入力を行うこととなり、位置を確認する作業を要してしまう。特に、視覚障害者には負担となってしまう。しかし、本実施形態に係る録音再生装置１は、録音とメモ書き等とを１つの機器にて行えるため、位置確認作業が不要となり、一層利便性を向上させることができる。
【０１１５】
以上、実施形態に基づき本発明を説明したが、本発明は上記実施形態に限られるものではなく、本発明の趣旨を逸脱しない範囲で、変更を加えてもよい。例えば、本実施形態に係る録音再生装置１は、操作方法を音声ガイダンスすることが望ましい。これにより、ユーザが仕様書等を点字により読む必要なく、ユーザの利便性を向上させることができるからである。
【０１１６】
また、本実施形態に係る録音再生装置１は、操作部１３を備えているが、これに限らず、外付けのキーボードを接続可能であって、録音再生装置１自体が操作部１３を備えていなくともよい。また、操作部１３に回転式ダイヤルを設けたり、キーワード開始コマンド等を入力する専用の押しボタンを設けたりするようにしてもよい。一層利便性を向上させることができるからである。なお、回転式ダイヤルを設ける場合、回転式ダイヤルを１クリックするごとに何らかの操作を指定する形式にしておくことにより、録音再生装置１のスイッチ数削減につながり、小型化を図ることができる。
【０１１７】
また、本実施形態では、キーワードデータに基づいてマトリックスデータを生成しているが、これに限らず、マークデータに基づいてマトリックスデータを生成するようにしてもよいし、キーワードデータとマークデータとの双方に基づいてマトリックスデータを生成するようにしてもよい。
【０１１８】
また、本実施形態に係る録音再生装置１は、キーワード入力せず、メモ入力を行った場合、要約キーワードが生成される。制御部１４は、要約されたキーワードをメモリカード１８に記憶させるにあたり、キーワードが要約されたものであることを示す情報を付加しておくことが望ましい。そして、キーワードが要約されたものであることをユーザに通知可能としておくことが望ましい。これにより、後にユーザが要約キーワードのみを選択して編集することなどができるからである。
【図面の簡単な説明】
【０１１９】
【図１】本発明の実施形態に係る録音再生装置を示す構成図である。
【図２】本実施形態に係る録音再生装置のソフトウェア構成を示す概念図である。
【図３】図１に示した録音再生装置によるマーク入力機能を説明する概念図であり、（ａ）はマークの具体例を示し、（ｂ）はマークを付与したときにメモリカード１８に記憶される記憶内容を示している。
【図４】図１に示した録音再生装置により音声を再生する際の動作を示す概念図である。
【図５】図１に示した録音再生装置によるキーワード入力機能を説明する概念図であり、（ａ）はキーワード入力の様子を示し、（ｂ）はキーワードを入力したときにメモリカードに記憶される記憶内容を示している。
【図６】図１に示した録音再生装置によるメモ入力機能を説明する概念図である。
【図７】メモ内容を入力したときにメモリカードに記憶される記憶内容を示す概念図である。
【図８】図１に示した録音再生装置による音声再生等を説明する概念図である。
【図９】図１に示した録音再生装置によるメモ出力操作を示す概念図である。
【図１０】本実施形態に係る録音再生方法を示すフローチャートであり、ステップＳ１〜ステップＳ２６までの処理を示している。
【図１１】本実施形態に係る録音再生方法を示すフローチャートであり、ステップＳ２７〜ステップＳ３５までの処理を示している。
【図１２】本実施形態に係る録音再生方法を示すフローチャートであり、ステップＳ３６〜ステップＳ４４までの処理を示している。
【符号の説明】
【０１２０】
１…録音再生装置
１０…マイク
１１…マイクアンプ
１２…Ａ／Ｄコンバータ
１３…操作部（入力手段）
１４…制御部（制御手段）
１５…ＲＯＭ
１６…ＲＡＭ
１７…ＲＴＣ
１８…メモリカード
１９…メモリカードスロット
２０…Ｄ／Ａコンバータ
２１…オーディオアンプ
２２…スピーカ
２３…マイクジャック
２４…イヤホンジャック
【図１】
2010008714.tif 000003
【図２】
2010008714.tif 000004
【図３】
2010008714.tif 000005
【図４】
2010008714.tif 000006
【図５】
2010008714.tif 000007
【図６】
2010008714.tif 000008
【図７】
2010008714.tif 000009
【図８】
2010008714.tif 000010
【図９】
2010008714.tif 000011
【図１０】
2010008714.tif 000012
【図１１】
2010008714.tif 000013
【図１２】
2010008714.tif 000014